(57)【要約】【課題】アンテナの少なくとも一部が表示手段の電極として形成されるので、表示手段を備えながら比較的簡単な構成とすることができる無線タグを提供する。【解決手段】情報を記憶するメモリ部を備えたＩＣ回路部と、前記ＩＣ回路部に接続され、無線タグ通信装置と信号を送受信するアンテナとを備える無線タグ回路部と、前記アンテナを介して受信した信号を整流部で整流して得られる電力を用いて情報の表示を行なう表示手段とを有する無線タグであって、前記アンテナの少なくとも一部は、前記表示手段に電力を供給するためのアンテナ電極部として構成されることを特徴とする。【選択図】図１
2011071824.tif 000002
【特許請求の範囲】
【請求項１】
情報を記憶するメモリ部と制御部を備えた無線タグ回路部と、前記無線タグ回路部に接続され、無線タグ通信装置と信号を送受信するアンテナと、
前記アンテナを介して受信した信号を整流部で整流して得られる電力を用いて情報の表示を行なう表示手段とを有する無線タグであって、
前記アンテナの少なくとも一部は、前記表示手段に電力を供給するためのアンテナ電極部として構成されることを特徴とする無線タグ。
【請求項２】
前記表示手段は平板状の表示層と、前記表示層の一面側に設けられる第一電極層と、前記表示層の他面側に設けられる第二電極層を有し、
前記アンテナ電極部は、前記第一電極層として形成されると共に、前記第一電極層と前記第一電極層に対して平行に配置された前記第二電極層の間に電圧が印加されることによって、前記表示手段に情報が表示されることを特徴とする請求項１に記載の無線タグ。
【請求項３】
前記アンテナを介して受信される前記信号を通過させると共に、前記信号を整流して得られる電力の通過を制限する第一制限手段を有し、
前記第一制限手段が前記アンテナと前記制御部との間に設けられることを特徴とする請求項１又は２に記載の無線タグ。
【請求項４】
前記制御部の制御によりスイッチが切り替わるスイッチ部と、
前記信号の通過を制限し、前記電力の通過を許容する第二制限手段とを備え、
前記スイッチ部は前記第二制限手段を介して前記第一制限手段と前記アンテナとの間に接続されることを特徴とする請求項３に記載の無線タグ。
【請求項５】
前記表示手段は、前記アンテナを介して受信した信号に基づいて、前記情報の表示を行うことを特徴とする請求項１ないし４のいずれかに記載の無線タグ。
【請求項６】
前記制御部は、前記アンテナを介して信号を送信又は受信している場合に、前記表示手段の表示切替を行なわないように前記スイッチ部を制御することを特徴とする請求項４に記載の無線タグ。
【請求項７】
前記アンテナはダイポールアンテナ又はループアンテナであることを特徴とする請求項１ないし６のいずれかに記載の無線タグ。
【請求項８】
前記表示手段は、有機半導体層と、前記有機半導体層の一面側に設けられる第一電極層と、前記有機半導体層の他面側に設けられる第二電極層を有する発光手段であって、
前記アンテナ電極部は、前記第一電極層を構成することを特徴とする請求項１ないし７のいずれかに記載の無線タグ。
【発明の詳細な説明】
【技術分野】
【０００１】
本発明は、アンテナの少なくとも一部によって電極が形成された表示手段を備える無線タグに関するものである。
【背景技術】
【０００２】
従来、所定の情報を記憶するＩＣ回路部とこのＩＣ回路部に接続されて情報の送受信を行うアンテナを備えた無線タグ回路素子を有する無線タグと、無線タグ通信装置との間で非接触で情報の読み取りや書き込みを行うＲａｄｉｏ  Ｆｒｅｑｕｅｎｃｙ  Ｉｄｅｎｔｉｆｉｃａｔｉｏｎ（以下、ＲＦＩＤとする）システムが知られている。
【０００３】
このＲＦＩＤシステムに用いられる無線タグとして、下記特許文献１に記載の表示部を備える非接触ＩＣカードがある。この非接触ＩＣカードは、表示を行なう表示素子とアンテナで受信した高周波信号を処理するための集積回路とを別々に基板に作製して、貼り合わせて圧着させることで、非接触ＩＣカードを作成している。
【先行技術文献】
【特許文献】
【０００４】
【特許文献１】特開２００３−４４８０８号公報
【発明の概要】
【発明が解決しようとする課題】
【０００５】
上記のような非接触ＩＣカードにおいて、前記集積回路と表示素子を別々に形成しているので製造工程が多く、構成が複雑である。また、素子同士の接続部が多くなるので、耐久性に問題が生じるおそれもある。
【０００６】
本発明は、アンテナの少なくとも一部が表示手段の電極として形成されるので、表示手段を備えながら比較的簡単な構成とすることができる無線タグを提供することを目的とする。
【課題を解決するための手段】
【０００７】
上記目的を達成するために、第１発明の無線タグは、情報を記憶するメモリ部と制御部を備えた無線タグ回路部と、前記無線タグ回路部に接続され、無線タグ通信装置と信号を送受信するアンテナと、前記アンテナを介して受信した信号を整流部で整流して得られる電力を用いて情報の表示を行なう表示手段とを有する無線タグであって、前記アンテナの少なくとも一部は、前記表示手段に電力を供給するためのアンテナ電極部として構成されることを特徴とする。
【０００８】
第２発明の無線タグは、上記第１発明において、前記表示手段は平板状の表示層と、前記表示層の一面側に設けられる第一電極層と、前記表示層の他面側に設けられる第二電極層を有し、前記アンテナ電極部は、前記第一電極層として形成されると共に、前記第一電極層と前記第一電極層に対して平行に配置された前記第二電極層の間に電圧が印加されることによって、前記表示手段に情報が表示されることを特徴とする。
【０００９】
第３発明の無線タグは、上記第１又は第２発明において、前記アンテナを介して受信される前記信号を通過させると共に、前記信号を整流して得られる電力の通過を制限する第一制限手段を有し、前記第一制限手段が前記アンテナと前記制御部との間に設けられることを特徴とする。
【００１０】
第４発明の無線タグは、上記第３発明において、前記制御部の制御によりスイッチが切り替わるスイッチ部と、前記信号の通過を制限し、前記電力の通過を許容する第二制限手段とを備え、前記スイッチ部は前記第二制限手段を介して前記第一制限手段と前記アンテナとの間に接続されることを特徴とする。
【００１１】
第５発明の無線タグは、上記第１ないし第４発明において、前記表示手段は、前記アンテナを介して受信した信号に基づいて、前記情報の表示を行うことを特徴とする。
【００１２】
第６発明の無線タグは、上記第４発明において、前記制御部は、前記アンテナを介して信号を送信又は受信している場合に、前記表示手段の表示切替を行なわないように前記スイッチ部を制御することを特徴とする。
【００１３】
第７発明の無線タグは、上記第１ないし第６発明において、前記アンテナはダイポールアンテナ又はループアンテナであることを特徴とする。
【００１４】
第８発明の無線タグは、上記第１ないし第７発明において、前記表示手段は、有機半導体層と、前記有機半導体層の一面側に設けられる第一電極層と、前記有機半導体層の他面側に設けられる第二電極層を有する発光手段であって、前記アンテナ電極部は、前記第一電極層を構成することを特徴とする。
【発明の効果】
【００１５】
請求項１に係る発明の無線タグによれば、少なくともアンテナの一部が表示手段の電極として形成されるので、表示手段を備えた無線タグの構成として、比較的簡単な構成とすることができる。
【００１６】
請求項２に係る発明の無線タグによれば、前記表示手段は平板状の表示層であって、少なくともアンテナの一部が表示手段の第一電極層として形成され、第一電極層に対して平行に配置された第二電極層との間に電圧が印加されることで、表示手段に情報が表示されるので、比較的簡単な構成であると共に、効果的に表示を行うことができる。
【００１７】
請求項３に係る発明の無線タグによれば、前記アンテナより受信した信号は制御部に供給されると共に、過剰な電力が供給されることによる制御部への負荷を軽減することができる。
【００１８】
請求項４に係る発明の無線タグによれば、表示領域を変化させることで、表示態様を切り替えることができる。
【００１９】
請求項５に係る発明の無線タグによれば、前記表示手段は前記アンテナを介して受信した信号に基づいて、情報の表示を行なうので、効率よく効果的に表示を行なうことができる。
【００２０】
請求項６に係る発明の無線タグによれば、無線タグ通信装置との信号の送受信を行なっている間は、通信以外の信号がアンテナに入ることによって通信性能が低下するのを防止して効率よく通信を行なうことができる。
【００２１】
請求項７に係る発明の無線タグによれば、アンテナがダイポールアンテナ又はループアンテナなので、その一部を電極とした表示手段を形成しやすい。
【００２２】
請求項８に係る発明の無線タグによれば、少なくともアンテナの一部が電極として形成され、発光手段を備えた無線タグの構成として、比較的簡単な構成とすることができる。
【図面の簡単な説明】
【００２３】
【図１】本実施形態の通信システムの全体構成の一例を表すシステム構成図である。
【図２】本実施形態の無線タグの構成を表すブロック図である。
【図３】本実施形態の無線タグの一例を表す平面図である。
【図４】図３の無線タグの４−４線で切断した一部を拡大した断面模式図である。
【図５】本実施形態の別例の無線タグの構成を表すブロック図である。
【図６】本実施形態の別例の無線タグを表す平面図である。
【図７】無線タグ通信装置の構成を表すブロック図である。
【図８】無線タグ通信装置の制御部によって実行される制御手順を表すフローチャートである。
【図９】本実施形態の無線タグの制御部によって実行される制御手順を表すフローチャートである。
【図１０】変形例の無線タグの構成を表すブロック図である。
【図１１】変形例の無線タグを表す平面図である。
【図１２】発光コマンドと発光領域の対応を示す対応テーブルである。
【発明を実施するための形態】
【００２４】
以下、本発明の実施の形態を図面を参照しつつ説明する。図１の無線通信システム４００は、無線タグ通信装置１００と無線タグ２００を備えている。物品保管棚Ｓには複数の収納箱Ｂが保管されており、前記収納箱Ｂには工具などの物品が種類ごとに収納されている。そして、前記収納箱Ｂを識別するために、表示手段２６０を備えた無線タグ２００が前記収納箱Ｂに貼り付けられる。
【００２５】
作業者は探索目的の工具を収納した収納箱Ｂを探し出すために、対応する無線タグ２００を識別するタグＩＤを指定して、無線タグ通信装置１００で無線タグ２００の読み取りを行う。前記所定のタグＩＤを有する無線タグ２００は、表示手段２６０に情報を表示させる。本実施形態では表示手段である発光手段２６０が発光するので、作業者は発光する無線タグ２００が貼られた探索対象の収納箱Ｂを容易に探し出すことができる。以下、各構成について、順を追って説明する。
【００２６】
図２において、前記無線タグ２００の機能的構成を説明する。無線タグ２００はアンテナ２１０を有し、前記アンテナ２１０に接続された無線タグ回路部２５０を有する。前記無線タグ回路部２５０は、前記アンテナ２１０により受信された応答要求コマンドを含む信号を含む質問波を整流する整流部２５２と、この整流部２５２により整流された質問波のエネルギーを蓄積して表示手段２６０の駆動電源とするための電源部２５３を有する。
【００２７】
前記整流部２５２は、前記アンテナ２１０から受信した信号から無線タグ回路部２５０の動作のための直流電圧を生成する。前記整流部２５２で生成された直流電圧は、無線通信を行うための電力として制御部２５７へ供給される。
【００２８】
さらに、前記整流部２５２は、前記直流電圧を表示手段２６０が表示を行うのに必要な電力として電源部２５３へ供給する。また、前記電源部２５３は、表示手段２６０へ表示を行なうのに必要な所定の電圧以上に昇圧した直流電圧を生成する図示しない倍圧整流回路を有している。昇圧された直流電圧は、制御部２５７によりスイッチ部２５８がＯＮに切り替えられたときに、表示手段２６０の陰極層として形成されるアンテナ２１０の一部であるアンテナ電極部２１５（図３（ａ）参照）と、前記表示手段の陽極層２６１（図４参照）に供給されて表示手段が発光する。
【００２９】
なお、所定の電圧以上に昇圧された直流電圧が、前記制御部２５７、前記クロック抽出部２５４や前記変復調部２５６に供給されるのを防ぐために、それらとアンテナ２１０との間には２個のコンデンサＣが挿入される。このコンデンサＣは、直流電圧が通過しないようにするとともに、前記アンテナ２１０から受信した信号である高周波信号は通過させることができる。なお、このコンデンサＣは請求項３の第一制御手段に相当する。また、通過させる高周波信号の周波数に応じて、適宜のコンデンサの値が選択される。
【００３０】
変復調部２５６は、前記アンテナ２１０により受信された上記無線タグ通信装置１００のアンテナからの質問波の復調を行う。また、上記制御部２５７からの返信信号を変調し、タグＩＤなどを含む信号を前記アンテナ２１０より応答波として送信する。
【００３１】
クロック抽出部２５４は受信した信号からクロック成分を抽出し、受信した信号のクロック成分の周波数に対応したクロックを制御部２５７に供給する。
【００３２】
また、前記無線タグ回路部２５０は所定の情報信号を記憶し得るメモリ部２５５を有する。そして、前記アンテナ２１０に接続された変復調部２５６と、上記メモリ部２５５、クロック抽出部２５４、及び変復調部２５６等を介し上記無線タグ回路部２５０の作動を制御するための上記制御部２５７とを備えている。
【００３３】
制御部２５７は、上記変復調部２５６により復調された受信信号を解析し、上記メモリ部２５５において記憶された情報信号に基づいて返信信号を生成し、この返信信号を上記変復調部２５６により上記アンテナ２１０から返信する制御等の基本的な制御を実行する。また、後述のように、スイッチ部２５８のＯＮ／ＯＦＦを切り替えて、表示手段２６０の制御を行なう。
【００３４】
前記表示手段２６０はテキスト文字や図柄などによって情報を表示する。前記表示手段２６０として、発光手段が用いられてもよく、発光することで情報の表示を行なってもよい。例えば、発光色、発光時間、発光態様などを変化させた各種発光パターンやセグメント表示などがあげられる。前記発光手段として、各種の発光素子が用いられ、例えば、発光ダイオード、有機Ｅｌｅｃｔｒｏ  Ｌｕｍｉｎｅｓｃｅｎｃｅ（以下、有機ＥＬとする）などがあげられる。なお、有機ＥＬ素子の場合は、面全体が発光するため、薄くても視認性の高い発光素子を実現できる。表示手段の詳しい構成については後述する。
【００３５】
また、前記制御部２５７は、上記変復調部２５６により復調された受信信号を解析した場合に、発光指示コマンドを受信すると、スイッチ部２５８をＯＮに切り替える。これにより、前記電源部２５３からの電力が表示手段２６０に供給されて、前記表示手段２６０に情報が表示される。なお、コイルＬは、前記アンテナ２１０を介して受信した高周波信号が電源部２５３側へ供給されないように、かつ所定の電圧値を有する直流電圧がアンテナ部２１０へ供給可能なように、一端が前記スイッチ部２５８に、他端が前記アンテナ２１０とコンデンサＣとの間にそれぞれ接続されている。このコイルＬは請求項４に記載の第二制限手段である。
【００３６】
図３及び図４において、本実施形態の無線タグ２００の構成についてについて説明する。なお、本実施形態では表示手段２６０は有機半導体層を有する発光手段であるものとして説明する。
【００３７】
図３（ａ）及び図４において、無線タグ２００の本体を構成する基板２０１の片面側に、アンテナ２１０がプリント形成されると共に、前記アンテナ２１０は無線タグ回路部２５０に接続される。
【００３８】
また、図３（ａ）の前記アンテナ２１０の少なくとも一部にアンテナ電極部２１５が形成される。前記アンテナ電極部２１５は、外部の無線タグ通信装置１００との間で信号の送受信を行ない、かつ前記発光手段２６０の陰極層として形成される。本実施形態では、矩形状に３回コイルを巻いた形状として形成されている。
【００３９】
また、図３（ｂ）に示すように、前記アンテナ電極部２１５の上部に、発光手段２６０が形成される。なお、前記発光手段は前記アンテナ２１０の全体に形成されていてもよいし、図３（ｂ）に示されるように、無線タグ回路部２５０との接合部近辺においては、発光手段２６０を形成しなくてもよい。また、基板２０１上でアンテナ電極部２１５が形成されていない部分に構成されていても良い。この場合、アンテナ電極部２１５が無い部分は発光しないが、発光手段の作成領域を限定しないで済むため、製造コストを抑えられるという利点がある。
【００４０】
そして、図４のように、前記アンテナ電極部２１５の上面側に、以下に説明する有機半導体層２６５、陽極層２６１、封止層２６３が順に形成される。なお、図３（ｂ）は前記アンテナ電極部２１５に前記各層が形成されたときの平面図であり、図４は図３（ｂ）の４−４線で切断したときの断面図であって、その一部を拡大して示している。
【００４１】
図３（ａ）の前記アンテナ電極部２１５は、前記発光手段２６０の陰極層として機能しつつ前記アンテナとして機能できるものであればよく、図４のように、有機半導体層２６５の下面側に形成される。例えば、アルミニウム（Ａｌ），フッ化リチウム（ＬｉＦ），Ａｌと銅（Ｃｕ）との積層，ＡｌとＬｉＦとの積層及びＡｌとバリウム（Ｂａ）との積層等で構成される。なお、前記アンテナ電極部２１５は請求項に記載の第一電極層にも相当する。
【００４２】
前記有機半体層２６５は、前記アンテナ電極部２１５の上面側に平板上に形成され、アンテナ電極部２１５と陽極層２６１との間に電圧が印加されることで発光する。前記有機半導体層２６５としては、例えばポリパラフェニレンビニレン誘導体、ポリフルオレン誘導体、ポリチオフェン誘導体等の高分子発光材料、及び、テトラフェニルブタジエン（ＴＰＢ）、ペリレン、クマリン、ルブレン、ナイルレッド、４−ジシアノメチレン−２−メチル−６−ジメチルアミノスチリル−４−ピラン（ＤＣＭ）、４−ジシアノメチレン−６−シーピージュロリジノスチリル−２−ターシャルブチル−４Ｈ−ピラン（ＤＣＪＴＢ）、スクアリリウム、アルミニウム錯体（例えばＡｌＱ３）等の低分子系材料が用いられる。前記アンテナ電極部２１５に接する面には、図示されない電子注入層が設けられる。電子注入層は、オキサジゾール誘導体、トリアゾール系、及びアルミニウム錯体のいずれかが用いられる。なお、前記有機半導体層は請求項２に記載の表示層にも相当し、平板状に形成されている。
【００４３】
前記陽極層２６１は、前記有機半導体層２６５の上面側に設けられる。陽極層２６１は、透明電極用の材料であるインジウムチタンオキサイド（ＩＴＯ）又はポリエチレンジオキシチオフェン（ＰＥＤＯＴ）で構成される。前記陽極層２６１は、前記アンテナ電極部２１５と前記陽極層２６１との間に電圧が印加されることで、前記有機半導体層２６５に正孔を注入する。なお、前記陽極層２６１が請求項に記載の第二電極層に相当し、前記陽極層２６１は前記アンテナ電極部２１５に対して平行に配置されている。
【００４４】
また、封止層２６３が前記陽極層２６１の上面から上述した各層を被覆するように形成される。前記封止層２６３は、前記陽極層２６１と前記有機半導体層２６５と、前記アンテナ電極部２１５が外気に接触させないように封止する。前記封止層２６３として、具体例には、ポリエチレンテレフタレート（ＰＥＴ），ポリエチレンナフタレート（ＰＥＮ），ポリスチレン（ＰＳ），ポリエーテルサルフォン（ＰＥＳ），ポリイミド等のフィルムに、ＳｉＯ２，ＡＬ２Ｏ３，ＳｉＮｘ等の無機薄膜と柔軟性のあるアクリル樹脂薄膜などを層状に複数層重ね合わせることでガスバリア性を備えたものが用いられてもよい。
【００４５】
このように構成された前記発光手段２６０は、前記陽極層２６１と陰極層としての前記アンテナ電極部２１５との間に、陽極層２６１が前記アンテナ電極部２１５よりも高電位になるように、前記電源部２５３で昇圧された直流電圧が印加されることで発光する。
【００４６】
図４において、前記陽極層２６１に印加される電圧は、前記陽極層２６１と前記アンテナ電極部２１５との電位差に等しい。前記陽極層２６１と前記アンテナ電極部２１５との間に電位差が存在すると、前記陽極層２６１から正孔が前記有機半導体層２６５に供給され、前記アンテナ電極部２１５から電子が有機半導体層２６５に供給される。そして、前記陽極層２６１から供給された正孔と、前記アンテナ電極部２１５から供給された電子とが、有機半導体層２６５で再結合する。
【００４７】
そして、前記電子は伝導帯を流れ、正孔は価電子帯を流れるので、正孔と電子との再結合によって、バンドギャップに相当するエネルギーを有する光子が放出される。このようにして、有機半導体層２６５が発光する。前記有機半導体層２６５からの光は、透明電極である前記陽極層２６１と前記封止層２６３を透過して、前記発光手段から外部へ光が発光される。本実施形態では、前記発光手段２６０は、電力が供給されると、図３（ｂ）の太線部の領域が発光する。
【００４８】
＜ダイポールアンテナの場合＞
上記実施形態の無線タグ２００では、前記アンテナ２１０がループアンテナの場合を説明したが、本実施形態の無線タグ２００Ａは、図５及び図６のように、アンテナ２１０Ａがダイポールアンテナより構成されていてもよい。前記アンテナ２１０Ａには、アンテナ電極部２１５Ａが直線状に左右対称に２箇所に形成されており（図６（ａ）参照）、その上面に形成される発光手段２６０Ａも直線状に２箇所形成される（図６（ｂ）参照）。なお、図２ないし図４と同じ符号は同様の構成を示すものとしてその説明を省略する。また、アンテナ電極部２１５Ａの上面側に形成される発光手段２６０Ａは、上述した発光手段２６０と同様の構成であり各構成についての説明を省略する。
【００４９】
このように、前述した無線タグ２００において、アンテナ２１０の少なくとも一部が発光手段の陰極層を兼ねるアンテナ電極部２１５として形成されることで、無線タグ２００としての構成が比較的簡単な構成となる。また、前記アンテナ２１０と無線タグ通信装置１００との距離が短くなるように配置することもできる（図１参照）。つまり、通常、発光手段２６０はユーザが視認しやすいように、通常無線タグ２００の表面側に設けられるため、発光手段２６０の電極を兼ねるアンテナ電極部２１５が無線タグ２００の表面に近い側に備えられることになる。そのため、前記無線タグ通信装置からの信号を受信しやすい位置にアンテナを備えることができ、通信性能が向上することも期待できる。なお、前記無線タグ２００Ａについても同様の効果が得られるので、その説明は省略する。
【００５０】
次に、本実施形態の無線タグ２００を用いた前記物品管理システム４００において、無線タグ通信装置１００と前記無線タグ２００の動作について順を追って説明する。
【００５１】
まず、図７を用いて、前記無線タグ通信装置１００の構成について説明する。前記無線タグ通信装置１００は、装置アンテナ１５２を介して無線タグ２００との無線通信を行なう。つまり、前記無線タグ通信装置１００は、前記装置アンテナ１５２を介して無線タグ２００への応答要求コマンドを含む質問波を送信すると共に、無線タグ２００から読み出された応答波を受信する高周波回路１１２、制御部１５４、記憶手段としてのＲＡＭ１５６及びＲＯＭ１５５を有している。これらの高周波回路１１２、制御部１５４、記憶手段としてのＲＡＭ１５６及びＲＯＭ１５５は、電気的にバスで接続されている。
【００５２】
前記高周波回路１１２は、無線タグ２００を動作させるための搬送波を発生させる。また、無線タグ２００との通信を行うために、前記制御部１５４からの指示に基づいて無線タグ２００への応答要求コマンドを含む送信命令を発生し、前記搬送波を変調して高周波信号として送信すると共に、無線タグ２００において変調された高周波信号を受信、復調して前記制御部１５４に伝える。
【００５３】
前記制御部１５４は、前記ＲＡＭ１５６の一時記憶機能を利用するのと並行して、前記ＲＯＭ１５５にあらかじめ記憶されたプログラムに従って信号処理を行うことにより無線タグ通信装置１００全体の制御を行なう。また、無線タグ通信装置１００は、操作者からの指示や情報が入力される入力手段１７０、情報やメッセージを表示する表示手段１６０を備える。
【００５４】
次に、図８を用いて、前記無線タグ通信装置１００の制御部１５４によって実行される制御手順を説明する。この例では、タグ探索動作が選択されるとこのフローが開始される。
【００５５】
まず、ステップＳ１１０において、キーボタンなどの入力手段１７０によって、図１に示すように、検索対象の収納箱Ｂに備えられる無線タグ２００のタグＩＤを指定する操作情報が入力される。
【００５６】
ステップＳ１２０において、高周波回路１５３に制御信号を出力して、前記特定のタグＩＤを指定して制御部１５７のメモリ部１５０に記録されたデータを読み出すタグ読み取り信号を送信する。前記タグ読み取り信号として、所定の変調を行った応答要求コマンドが、装置アンテナ１５２を介して通信領域内に存在する無線タグ２００に送信される。
【００５７】
ステップＳ１３０では、前記応答要求コマンドに対応して前記タグＩＤに対応する無線タグ２００から応答波を受信したか否かを判定する。この際、ステップＳ１２０において特定のタグＩＤを指定してタグ読取信号を送信しているため、そのタグＩＤを持つタグのみが応答する。ここで、所定のタグＩＤを受信した場合には、判定が満たされてステップＳ１４０に進む。一方、所定のタグＩＤを所定時間待機しても受信しない場合は、ステップＳ１５０へ進む。
【００５８】
ステップＳ１４０では、前記タグＩＤを指定して前記無線タグ２００の発光手段２６０に発光を指示するための発光指示コマンドを送信する。
【００５９】
ステップＳ１５０では、表示手段１６０に探索結果に対応して記憶手段に記憶された表示画面を表示させる。例えば、指定したタグＩＤに対応する無線タグ回路部２５０から応答信号を受信している場合には、「探索対象の物品が見つかりました」などの表示を行う。一方、指定したタグＩＤに対応する無線タグ回路部２５０から応答信号を受信していない場合には、「検索対象の物品が見つかりませんでした」などの表示を行う。
【００６０】
ステップＳ１６０では、入力手段１７０によって停止操作情報が入力されたか否かが判断される。停止操作情報が入力された場合には、このフローを終了する。一方、停止操作情報が入力されない場合は、ステップＳ１１０へ戻る。
【００６１】
続いて、無線タグ２００の動作について説明する。図９は、無線タグ２００の制御部２５７によって実行される制御手順を表すフローチャートである。この例では無線タグ通信装置１００からコマンド信号を受信すると、このフローが開始される。
【００６２】
ステップＳ２０５では、前記アンテナ２１０から受信した信号が、応答要求コマンドであるかどうかが判断される。前記信号が応答要求コマンドである場合には、ステップＳ２０６へ進む。一方、前記信号が応答要求コマンドでない場合には、このフローを終了する。
【００６３】
ステップＳ２０６では、前記応答要求コマンドに含まれたタグＩＤが無縁タグ２００のメモリ部２５５内に保存されているタグＩＤと一致するかどうかが判断される。タグＩＤが一致する場合には、ステップＳ２１０へ進む。一方、タグＩＤが一致しない場合には、このフローを終了する。
【００６４】
ステップＳ２１０は、無線タグ通信装置１００からの応答要求コマンドに対して、無線タグ回路部２５０のメモリ部２５５に記憶されたタグＩＤを応答して、ステップＳ２２０へ進む。
【００６５】
ステップＳ２２０では、前記無線タグ通信装置１００から発光指示コマンドを受信したか否かが判断される。発光指示コマンドを受信しない場合は受信するまで待機する。一方、前記発光指示コマンドを受信した場合には、ステップＳ２２１の処理へ進む。
【００６６】
ステップＳ２２１では、前記発光指示コマンドに含まれたタグＩＤが無縁タグ２００のメモリ部２５５内に保存されているタグＩＤと一致するかどうかが判断される。タグＩＤが一致する場合には、ステップＳ２２５へ進む。一方、タグＩＤが一致しない場合には、このフローを終了する。
【００６７】
ステップＳ２２５は、前記アンテナ２１０を介して無線タグ通信装置１００からの信号を受信中であるか否か、又は前記アンテナ２１０を介して応答信号などを送信中であるか否かが判断される。前記アンテナ２１０を介して信号の受信中である又は信号の送信中であると判断された場合には、信号の送受信が終了するまでループ待機する。一方、ステップＳ２２５で前記アンテナ２１０を介して信号の送信中でも受信中でもないと判断された場合には、ステップＳ２３０へ進む。
【００６８】
ステップＳ２３０では、受信した発光指示コマンドに基づいて、スイッチ回路部２６５をＯＮにして、発光手段２６０を発光させてこのフローを終了する。なお、所定時間後に発光手段２６０の発光を停止する。
【００６９】
本実施形態では、前記無線タグ２００が前記無線タグ通信装置１００と信号を送受信中であるときは、前記発光手段２６０の前記陽極層２６１と前記陰極層としてのアンテナ電極部２１５が形成された前記アンテナ部２１０への電力供給を行なわないので、前記アンテナ２１０はアンテナとしての機能のみを有する。これにより、通信以外の信号がアンテナに入ることによって通信性能へ影響が及ぼされることを防止することができる。
【００７０】
また、本実施形態では、前記アンテナ２１０を介して受信した信号である発光指示コマンドに基づいて、前記発光手段２６０の発光を行うので、効果的に発光を行うことができる。
【００７１】
＜発光手段の発光領域を変化させる場合＞
次に、図１０及び図１１を用いて、変形例の無線タグ２００Ｂについて説明する。後述の図１１（ａ）において、無線タグ２００Ｂの本体を構成する基板２０１の片面側に、アンテナ２１０Ｂがプリント形成されると共に、前記アンテナ２１０Ｂは無線タグ回路部２５０に接続される。
【００７２】
本変形例では、図１１（ｂ）のように、発光手段２６０Ｂの発光領域２６９Ａ、２６９Ｂ、２６９Ｃが形成されており、その発光領域を切り替えることにより発光態様を変化させることができる。ここで、図１１（ｂ）は、図１１（ａ）の前記アンテナ電極部２１５Ａ，２１５Ｂ，２１５Ｃの上面に、前記有機半導体層２６５と前記陽極層２６１と前記封止層２６３が形成されたときの平面図である（図４参照）。なお、図１１（ｂ）においてわかりやすいように、表示部２６０Ｂのうち、太線部が発光領域２６９Ａを、太破線部が発光領域２６９Ｂを、薄太線部が発光領域２６９Ｃを示している。そして、後述するように電力が供給されると、それぞれの発光領域が発光する。
【００７３】
それぞれの発光領域に対応して、図１１（ａ）のようにアンテナ電極部２１５Ａ，２１５Ｂ，２１５Ｃが形成される。前記アンテナ電極部２１５Ａと前記アンテナ電極部２１５Ｂの間にはコンデンサＣ１が介在され、前記アンテナ電極部２１５Ｂと前記アンテナ電極部２１５Ｃの間にはコンデンサＣ２が介在される。なお、図１１（ａ）において、アンテナ部２１０Ｂのうち、実線部がアンテナ電極部２１５Ａ、破線部がアンテナ電極部２１５Ｂ、薄実線部がアンテナ電極部２１５Ｃを示している。
【００７４】
図１０において、前記無線タグ２００Ｂの機能的構成を説明する。図２と同じ符号のものは同様の構成を示すものとしてその説明を省略する。
【００７５】
前記無線タグ２００はアンテナ２１０Ｂを有している。前記アンテナ２１０Ｂは、図１０のように、コンデンサＣ１とコンデンサＣ２を有する。これらのコンデンサＣ１，Ｃ２は、直流電流の流出を制限するとともに、前記アンテナ２１０Ｂから受信した高周波信号は通過させる。また、制御部２５７によってＯＮ，ＯＦＦを切り替えることが可能なスイッチ部２５８Ａ，２５８Ｂ，２５８Ｃを有する。
【００７６】
これにより、前記制御部２５７で、前記アンテナ２１０Ｂを介して、発光領域２６９Ａの発光を指示する発光指示コマンドを受信したと判断された場合には、制御部２５７は、スイッチ部２５８ＡをＯＮに切り替え、図１１（ａ）において、前記発光領域２６９Ａに対する陰極層を構成するアンテナ電極部２１５Ａと図示しない陽極層に直流電圧を印加して、図１１（ｂ）の前記発光領域２６９Ａを発光させる制御を行なう。なお、アンテナ電極部２１５Ａの端部には、図１０及び図１１（ａ）のコンデンサＣ１が設けられており、発光領域２６９Ｂ及び発光領域２６９Ｃに対応するアンテナ電極部２１５Ｂ，２１５Ｃには、電力が供給されず、前記発光領域２６９Ｂ及び前記発光領域２６９Ｃは発光しない。
【００７７】
同様に、前記制御部２５７で、発光領域２６９Ｂの発光を指示する発光指示コマンドを受信したと判断された場合には、図１０のスイッチ部２５８ＢをＯＮに切り替え、図１１（ａ）において、前記発光領域２６９Ｂに対する陰極層を構成するアンテナ電極部２１５Ｂと図示しない陽極層に直流電圧が印加され、図１１（ｂ）の前記発光領域２６９Ｂを発光させる制御を行なう。前記アンテナ電極部２１５Ｂのそれぞれの端部には、図１０及び図１１（ａ）のように、コンデンサＣ１及びコンデンサＣ２が設けられており、図１１（ｂ）の発光領域２６９Ａ及び発光領域２６９Ｃに対応するアンテナ電極部２１５Ｂ，２１５Ｃには、電力が供給されず、前記発光領域２６９Ａ及び発光領域２６９Ｃは発光しない。
【００７８】
同様に、前記制御部２５７で、発光領域２６９Ｃの発光を指示する発光指示コマンドを受信したと判断された場合には、図１０のスイッチ部２５８ＣをＯＮに切り替え、図１１（ａ）において、前記発光領域２６９Ｃに対する陰極層を構成するアンテナ電極部２１５Ｃと図示しない陽極層に直流電圧を印加して、図１１（ｂ）の前記発光領域２６９Ｃを発光させる制御を行なう。前記アンテナ電極部２１５Ｃの端部には、図１０及び図１１（ａ）のように、コンデンサＣ２が設けられており、発光領域２６９Ａ及び発光領域２６９Ｂに対応するアンテナ電極部２１５Ａ，２１５Ｂには、電力が供給されないので、前記発光領域２６９Ａ及び前記発光領域２６９Ｂは発光しない。
【００７９】
本変形例の無線タグ２００Ｂの制御部２５７の動作は、前述の無線タグ２００において説明した図９の動作と、以下に説明するように、ステップＳ２３０を除いて同様である。
【００８０】
本変形例の無線タグ２００Ｂでは、発光指示コマンドの種類と、それに対応する発光領域の対応テーブルがメモリ部２５５に記憶されている（図１２参照）。上述した図９のステップＳ２３０において、本変形例では、メモリ部２５５を参照して受信した発光指示コマンドに関連付けて記憶されている発光領域を表示させる制御を行なう。例えば、発光指示コマンド「Ａ」であれば、それに対応する発光領域２６９Ａの表示を行なう制御がされる。
【００８１】
本変形例においては、このように、制限手段としてのコンデンサＣ１，Ｃ２がアンテナ２１０Ｂに設けられ、前記アンテナ２１０Ｂを介して受信した発光コマンドに基づいて、制御部により切り替えられるスイッチ部が備えられることで、発光手段の発光領域を変化させることができる。
【００８２】
なお、上記実施形態では、アンテナとして、コイルアンテナとダイポールアンテナを一例として説明したが、他のアンテナで構成されていてもよい。発光手段及びアンテナの形状や大きさなどは、所望とする発光手段の形態により種々の変更が可能である。また、無線タグには複数のアンテナが形成され、それに対する発光手段も複数形成されていてもよい。
【００８３】
また、制限手段としてのコンデンサをアンテナに３つ以上の複数個所に設けて、さらに複数の発光領域を形成してより複雑な表示態様で変化させることも可能である。加えて、発光手段における発光領域の変化のさせ方を説明したが、この例に限られず、テキスト文字などを表示する表示手段の表示領域が変化してもよい。
【００８４】
その他、一々例示はしないが、本発明は、その趣旨を逸脱しない範囲内において、種々の変更が加えられて実施されるものである。
【符号の説明】
【００８５】
１００  無線タグ通信装置
２００，２００Ａ，２００Ｂ  無線タグ
２１０，２１０Ａ，２１０Ｂ  アンテナ
２１５，２１５Ａ，２１５Ｂ  アンテナ電極部
２６１  陽極層
２６０，２６０Ａ，２６０Ｂ  表示手段（発光手段）    
【図１】
2011071824.tif 000003
【図２】
2011071824.tif 000004
【図３】
2011071824.tif 000005
【図４】
2011071824.tif 000006
【図５】
2011071824.tif 000007
【図６】
2011071824.tif 000008
【図７】
2011071824.tif 000009
【図８】
2011071824.tif 000010
【図９】
2011071824.tif 000011
【図１０】
2011071824.tif 000012
【図１１】
2011071824.tif 000013
【図１２】
2011071824.tif 000014